(57)【特許請求の範囲】
【請求項１】
移動局が所定無線品質の測定を行うとともに、前記移動局で測定された前記所定無線品質の測定結果及び前記移動局が保持する移動局の位置情報を前記移動局が送信するＭＤＴモードが採用された通信システムで用いる移動通信方法であって、
移動管理ノードが、前記ＭＤＴモードにおいて前記移動局が行うべき測定処理の方法を指定する測定情報を受信した場合に、測位演算装置に対して、該移動局の測位を行う測位演算処理を開始するように要求する工程Ａと、
前記移動管理ノードが、前記測位演算装置から、前記移動局の測位が行われた時刻を示すタイムスタンプ及び前記測位演算処理で測位された前記移動局の位置情報を受信する工程Ｂと、
前記移動管理ノードが、トレース収集装置又は無線基地局に対して、前記移動局の測位が行われた時刻を示すタイムスタンプ及び前記測位演算処理で測位された前記移動局の位置情報を送信する工程Ｃと、
前記トレース収集装置又は無線基地局が、前記移動局の測位が行われた時刻に基づいて、前記移動管理ノードから受信する前記移動局の位置情報と前記移動局から受信する前記所定無線品質の測定結果とを関連付ける工程Ｄとを有することを特徴とする移動通信方法。
【請求項２】
前記工程Ａにおいて、前記測位演算処理によって、前記移動局の測位を繰り返し行うことを特徴とする請求項１に記載の移動通信方法。
【請求項３】
前記工程Ａにおいて、前記移動管理ノードは、前記測定情報として、該測定処理の繰り返し回数及び繰り返し間隔を取得し、
前記工程Ａにおいて、前記測定処理の繰り返し回数及び繰り返し間隔に基づいて、前記測位演算処理を開始するように要求することを特徴とする請求項２に記載の移動通信方法。
【請求項４】
前記工程Ａにおいて、前記移動管理ノードは、無線基地局或いは運用保守装置から、前記測定情報を受信することを特徴とする請求項１乃至３のいずれか一項に記載の移動通信方法。
【請求項５】
前記移動局が、該移動局の位置情報を算出する工程と、
前記移動局が、該移動局の位置情報と前記測定結果とを関連付けることを特徴とする請求項１乃至４のいずれか一項に記載の移動通信方法。
【請求項６】
移動局が所定無線品質の測定を行うとともに、前記移動局で測定された前記所定無線品質の測定結果及び前記移動局が保持する移動局の位置情報を前記移動局が送信するＭＤＴモードが採用された通信システムで用いる移動管理ノードであって、
前記ＭＤＴモードにおいて前記移動局が行うべき測定処理の方法を指定する測定情報を受信した場合に、測位演算装置に対して、該移動局の測位を行う測位演算処理を開始するように要求するように構成されており、
前記測位演算装置から、前記移動局の測位が行われた時刻を示すタイムスタンプ及び前記測位演算処理で測位された前記移動局の位置情報を受信するように構成されており、
トレース収集装置又は無線基地局に対して、前記移動局の測位が行われた時刻を示すタイムスタンプ及び前記測位演算処理で測位された前記移動局の位置情報を通知するように構成されていることを特徴とする移動管理ノード。
【発明の詳細な説明】
【技術分野】
【０００１】
本発明は、移動通信方法及び移動管理ノードに関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴのうち、Ｉｍｍｅｄｉａｔｅ  ＭＤＴモードでは、ＵＥ（Ｕｓｅｒ  Ｅｑｕｉｐｍｅｎｔ：移動局）は、所定無線品質についての測定処理を行い、ｅＮＢ（無線基地局）に対して、かかる測定結果と共に、ＵＥにおいて保持されているＵＥの位置情報を送信するように構成されている。
【先行技術文献】
【非特許文献】
【０００４】
【非特許文献１】３ＧＰＰ  ＴＳ３２.４２２
【発明の概要】
【発明が解決しようとする課題】
【０００５】
しかしながら、従来のＭＤＴでは、ＵＥが、詳細な位置情報（例えば、ＧＰＳ測位結果）を持っている可能性が低いため、かかるＭＤＴの効果が十分でないという問題点があった。
【０００６】
そこで、本発明は、上述の課題に鑑みてなされたものであり、ＵＥが、測定結果を報告する際に、詳細な位置情報を持っている可能性を高めることができる移動通信方法及び移動管理ノードを提供することを目的とする。
【課題を解決するための手段】
【０００７】
本発明の第１の特徴は、移動通信方法であって、移動管理ノードが、移動局が行うべき測定処理の方法を指定する測定情報を受信した場合に、該移動局の測位を行う測位演算処理を開始する工程Ａと、前記移動局の測位が行われた時刻に基づいて、該移動局の位置情報と前記測定結果とを関連付ける工程Ｂとを有することを要旨とする。
【０００８】
本発明の第２の特徴は、移動管理ノードであって、移動局が行うべき測定処理の方法を指定する測定情報を受信した場合に、測位演算装置に対して、該移動局の測位を行う測位演算処理を開始するように要求するように構成されており、前記測位演算装置から、前記移動局の位置情報及び該移動局の測位が行われた時刻を示すタイムスタンプを取得するように構成されており、トレース収集装置或いは無線基地局に対して、前記移動局の位置情報及び前記タイムスタンプを通知するように構成されていることを要旨とする。
【発明の効果】
【０００９】
以上説明したように、本発明によれば、ＵＥが、測定結果を報告する際に、詳細な位置情報を持っている可能性を高めることができる移動通信方法及び移動管理ノードを提供することができる。
【図面の簡単な説明】
【００１０】
【図１】本発明の第１の実施形態に係る移動通信システムの全体構成図である。
【図２】本発明の第１の実施形態に係る移動通信システムの動作を示すシーケンス図である。
【図３】本発明の変更例１に係る移動通信システムの動作を示すシーケンス図である。
【図４】本発明の変更例２に係る移動通信システムの動作を示すシーケンス図である。
【図５】本発明の変更例３に係る移動通信システムの動作を示すシーケンス図である。
【発明を実施するための形態】
【００１１】
（本発明の第１の実施形態に係る移動通信システム）
図１及び図２を参照して、本発明の第１の実施形態に係る移動通信システムについて説明する。
【００１２】
本実施形態に係る移動通信システムは、ＬＴＥ方式の移動通信システムであって、図１に示すように、ＥＭ（運用保守装置）と、ＭＭＥと、Ｅ-ＳＭＬＣ（Ｅｖｏｌｖｅｄ  Ｓｅｒｖｉｎｇ  Ｍｏｂｌｉｅ  Ｌｏｃａｔｉｏｎ  Ｃｅｎｔｒｅ、測位演算装置）と、ＴＣＥ（Ｔｒａｃｅ  Ｃｏｌｌｅｃｔｉｏｎ  Ｅｎｔｉｔｙ）と、ｅＮＢとを具備している。
【００１３】
以下、図２を参照して、本発明の第１の実施形態に係る移動通信システムの動作の一例について説明する。
【００１４】
図２に示すように、ステップＳ１００１において、ＥＭは、ｅＮＢに対して、「ＭＤＴ  Ｃｏｎｆｉｇｕｒａｔｉｏｎ（Ｉｍｍｅｄｉａｔｅ  ＭＤＴモード用）」を含む「Ｔｒａｃｅ  Ｓｅｓｓｉｏｎ  Ａｃｔｉｖａｔｉｏｎ」を送信する。
【００１５】
ステップＳ１００２において、ｅＮＢは、ＭＭＥに対して、かかる測定処理の繰り返し回数（ｐｅｒｉｏｄ）及び繰り返し間隔（ｉｎｔｅｒｖａｌ）を含む「Ｃｅｌｌ  Ｔｒａｆｆｉｃ  Ｔｒａｃｅ」を送信する。
【００１６】
ここで、かかる「ｐｅｒｉｏｄ」や「ｉｎｔｅｒｖａｌ」は、「Ｃｅｌｌ  Ｔｒａｆｆｉｃ  Ｔｒａｃｅ」ではなく、その他の信号（例えば、ＬＣＳ（ＬｏＣａｔｉｏｎ  Ｓｅｒｖｉｃｅ）固有の信号）によって、ＭＭＥに対して通知されてもよい。
【００１７】
また、ＥＭは、ｅＮＢを介することなく、ＭＭＥに対して、「ＭＤＴ  Ｃｏｎｆｉｇｕｒａｔｉｏｎ」を通知するように構成されていてもよい。
【００１８】
ステップＳ１００３において、ＵＥとｅＮＢとの間で、ＭＤＴを行うための設定処理（ＭＤＴ  Ｃｏｎｆｉｇｕｒａｔｉｏｎ）を行う。かかる設定処理では、例えば、上述の「ｐｅｒｉｏｄ」や「ｉｎｔｅｒｖａｌ」に基づいて、ＭＤＴの測定回数や測定周期等を設定する。
【００１９】
ＭＭＥは、「Ｃｅｌｌ  Ｔｒａｆｆｉｃ  Ｔｒａｃｅ」の受信に応じて、ステップＳ１００４において、移動局の測位を行う測位演算処理の一種であるＭＴ-ＬＲを開始することを決定し、ステップＳ１００５において、Ｅ-ＳＭＬＣに対して、ＭＴ-ＬＲを開始することを要求する「Ｌｏｃａｔｉｏｎ  Ｒｅｑｕｅｓｔ」を送信する。
【００２０】
また、ＭＭＥは、かかるＵＥに対してＭＴ-ＬＲを実施すべきかについて、加入者プロファイル情報やオペレータポリシー等に基づいて判断してもよい。
【００２１】
また、ＭＭＥは、かかるＵＥに対して測位を実施する旨の通知を実施してもよい。かかる場合、ＭＭＥは、かかるＵＥからの応答に応じて、ＭＴ-ＬＲを実施すべきかについて判断してもよい。
【００２２】
ここで、かかる「Ｌｏｃａｔｉｏｎ  Ｒｅｑｕｅｓｔ」には、上述の「ｐｅｒｉｏｄ」や「ｉｎｔｅｒｖａｌ」等、測位を実施すべき回数やタイミング等を指定する情報要素が含まれていてもよい。かかる場合、ＭＭＥは、ＵＥの繰り返し測位を行う測位演算処理であるＭＴ-ＬＲを実施してもよい。
【００２３】
Ｅ-ＳＭＬＣは、かかる「Ｌｏｃａｔｉｏｎ  Ｒｅｑｕｅｓｔ」の受信に応じて、「Ｎｅｔｗｏｒｋ-ｂａｓｅｄ  ｐｏｓｉｔｉｏｎｉｎｇ  ｐｒｏｃｅｄｕｒｅ（ＬＰＰａ：ＬＴＥ  Ｐｏｓｉｔｉｏｎｉｎｇ  Ｐｒｏｔｏｃｏｌ  Ａｎｎｅｘ）」（ステップＳ１００６ａ）或いは「ＵＥ-ａｓｓｉｓｔｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」（ステップＳ１００６ｂ）の少なくとも１つを開始する。
【００２４】
なお、「Ｎｅｔｗｏｒｋ-ｂａｓｅｄ  ｐｏｓｉｔｉｏｎｉｎｇ  ｐｒｏｃｅｄｕｒｅ」及び「ＵＥ-ａｓｓｉｓｔｅｄ  ｐｏｓｉｔｉｏｎｉｎｇ  ｐｒｏｃｅｄｕｒｅ」が繰り返し実施されるものとする。かかる繰り返しは、「Ｌｏｃａｔｉｏｎ  Ｒｅｑｕｅｓｔ」により通知された情報に基づいてもよい。
【００２５】
ここで、ｅＮＢ又はＵＥからＥ-ＳＭＬＣに対して、かかる測位結果が１つづつ通知されてもよいし、所定数の測定結果がまとめて通知されてもよい。
【００２６】
Ｅ-ＳＭＬＣは、かかる測位結果に基づいて、ＵＥの位置情報を算出し、ステップＳ１００７において、ＭＭＥに対して、かかるＵＥの位置情報及びタイムスタンプを含む「Ｌｏｃａｔｉｏｎ  Ｒｅｓｐｏｎｓｅ」を送信する。
【００２７】
ここで、かかるタイムスタンプは、ＵＥの測位が行われた時刻を示す情報である。また、かかるＵＥの位置情報及びタイムスタンプは、「Ｌｏｃａｔｉｏｎ  Ｒｅｓｐｏｎｓｅ」以外の特定のメッセージによって、ＭＭＥに通知されてもよい。また、ＵＥの位置情報及びタイムスタンプは、１つづつＭＭＥに通知されてもよいし、所定数だけまとめてＭＭＥに通知されてもよい。
【００２８】
ステップＳ１００８において、ＵＥは、ｅＮＢに対して、ＲＲＣ（Ｒａｄｉｏ  Ｒｅｓｏｕｒｃｅ  Ｃｏｎｔｒｏｌ）メッセージによって、ＭＤＴの測定結果及び保持しているＵＥの位置情報を含む「ＭＤＴ  Ｒｅｐｏｒｔ」を送信する。
【００２９】
ステップＳ１００９において、ＭＭＥは、ＴＣＥに対して、上述のＵＥの位置情報及びタイムスタンプを含む「Ｓｅｎｄ  Ｌｏｃａｔｉｏｎ  ｉｎｆｏ」を送信する。
【００３０】
ステップＳ１０１０において、ｅＮＢは、ＴＣＥに対して、ＭＤＴの測定結果及びＵＥの位置情報を含む「Ｔｒａｃｅ  Ｒｅｃｏｒｄ」を送信する。ｅＮＢは、かかる通知において、ＭＤＴの測定結果及びＵＥの位置情報を実施した時刻であるタイムスタンプを合わせて送信してもよい。かかるタイムスタンプは、ステップＳ１００８において、ＵＥ或いはｅＮＢのいずれかが設定してもよい。
【００３１】
ステップＳ１０１１において、ＴＣＥは、上述のステップＳ１００９及びＳ１０１０のタイムスタンプに基づいて、「Ｓｅｎｄ  Ｌｏｃａｔｉｏｎ  ｉｎｆｏ」に含まれるＵＥの位置情報と「Ｔｒａｃｅ  Ｒｅｃｏｒｄ」に含まれるＭＤＴの測定結果とを関連付ける。
【００３２】
本発明の第１の実施形態に係る移動通信システムによれば、Ｉｍｍｅｄｉａｔｅ  ＭＤＴモードにおいて、ＭＴ-ＬＲを開始し、ＵＥの測位を実施することによって、ＭＤＴの測定結果の取得時に、詳細なＵＥの位置情報とＭＤＴの測定結果とを関連付けて記憶することができ、ＭＤＴの効果を向上させることができる。
【００３３】
また、本発明の第１の実施形態に係る移動通信システムによれば、Ｉｍｍｅｄｉａｔｅ  ＭＤＴモードにおけるＭＤＴの測定回数や測定周期に合わせて、ＭＴ-ＬＲを実施することができるので、ＭＤＴに必要な最低限のＵＥの測位を実施するだけでよく、ＵＥの電池消費量を削減することができる。
【００３４】
（変更例１）
以下、図３を参照して、本発明の変更例１に係る移動通信システムについて、上述の第１の実施形態に係る移動通信システムとの相違点に着目して説明する。
【００３５】
図３に示すように、ステップＳ２００１乃至Ｓ２００５の動作は、図２に示すステップＳ１００１乃至Ｓ１００５の動作と同一である。
【００３６】
ステップＳ２００６において、Ｅ-ＳＭＬＣは、かかる「Ｌｏｃａｔｉｏｎ  Ｒｅｑｕｅｓｔ」の受信に応じて、「ＵＥ-ｂａｓｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」を開始する。
【００３７】
ここで、Ｅ-ＳＭＬＣは、ステップＳ２００５において受信した「Ｌｏｃａｔｉｏｎ  Ｒｅｑｕｅｓｔ」に設定されている所定情報から、ＭＤＴに係る測位要求であることを検出し、「ＵＥ-ｂａｓｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」を開始してもよい。
【００３８】
かかる場合、ＭＭＥは、ステップＳ２００２において、「Ｃｅｌｌ  Ｔｒａｆｆｉｃ  Ｔｒａｃｅ」を受信した際に、ステップＳ２００５において、「Ｌｏｃａｔｉｏｎ  Ｒｅｑｕｅｓｔ」に、ＭＤＴに係る測位要求であることを示す所定情報を設定してもよい。
【００３９】
また、Ｅ-ＳＭＬＣは、ステップＳ２００５において、「Ｌｏｃａｔｉｏｎ  Ｒｅｑｕｅｓｔ」を受信した際、「Ｎｅｔｗｏｒｋ-ｂａｓｅｄ  ｐｏｓｉｔｉｏｎｉｎｇ  ｐｒｏｃｅｄｕｒｅ（ＬＰＰａ：ＬＴＥ  Ｐｏｓｉｔｉｏｎｉｎｇ  Ｐｒｏｔｏｃｏｌ  Ａｎｎｅｘ）」或いは「ＵＥ-ａｓｓｉｓｔｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」の少なくとも１つを併用してもよい。
【００４０】
また、ＵＥは、ＬＰＰ信号により複数の測位方式が許容されている場合、ＵＥの位置情報として、ＵＥにおける緯度経度の演算を優先して実施するように構成されていてもよい。
【００４１】
ＵＥは、かかる測位結果に基づいて、ＵＥの位置情報を算出し、算出したＵＥの位置情報とＭＤＴの測定結果とを関連付け、ステップＳ２００７において、ｅＮＢに対して、ＲＲＣメッセージによって、算出したＵＥの位置情報及びＭＤＴの測定結果を含む「ＭＤＴ  Ｒｅｐｏｒｔ」を送信する。
【００４２】
ステップＳ２００８において、ｅＮＢは、ＴＣＥに対して、上述のＵＥの位置情報及びＭＤＴの測定結果を含む「Ｔｒａｃｅ  Ｒｅｃｏｒｄ」を送信する。
【００４３】
ここで、ステップＳ２００５において、「Ｎｅｔｗｏｒｋ-ｂａｓｅｄ  ｐｏｓｉｔｉｏｎｉｎｇ  ｐｒｏｃｅｄｕｒｅ（ＬＰＰａ：ＬＴＥ  Ｐｏｓｉｔｉｏｎｉｎｇ  Ｐｒｏｔｏｃｏｌ  Ａｎｎｅｘ）」（ステップＳ１００６ａ）或いは「ＵＥ-ａｓｓｉｓｔｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」（ステップＳ１００６ｂ）の少なくとも１つが併用されている場合、ＭＭＥは、ＴＣＥに対して、かかる演算結果を送信してもよい。
【００４４】
（変更例２）
以下、図４を参照して、本発明の変更例２に係る移動通信システムについて、上述の第１の実施形態に係る移動通信システムとの相違点に着目して説明する。
【００４５】
図４に示すように、ステップＳ３００１及びＳ３００２の動作は、図２に示すステップＳ１００１及びＳ１００２の動作と同一である。
【００４６】
ステップＳ３００３において、ｅＮＢは、ＭＭＥに対して、かかる測定処理の繰り返し回数（ｐｅｒｉｏｄ）及び繰り返し間隔（ｉｎｔｅｒｖａｌ）を含む「Ｐｒｏｖｉｄｅ  Ｌｏｃａｔｉｏｎ」を送信する。
【００４７】
ここで、かかる「ｐｅｒｉｏｄ」や「ｉｎｔｅｒｖａｌ」は、「Ｐｒｏｖｉｄｅ  Ｌｏｃａｔｉｏｎ」でななく、「Ｃｅｌｌ  Ｔｒａｆｆｉｃ  Ｔｒａｃｅ」や、その他の信号（例えば、ＬＣＳ（ＬｏＣａｔｉｏｎ  Ｓｅｒｖｉｃｅ）固有の信号やＳ１-ＡＰ信号）によって、ＭＭＥに対して通知されてもよい。
【００４８】
ステップＳ３００４乃至Ｓ３００８の動作は、図２に示すステップＳ１００３乃至Ｓ１００７の動作と同一である。
【００４９】
ステップＳ３００９において、ＭＭＥは、ｅＮＢに対して、「Ｐｒｏｖｉｄｅ  Ｌｏｃａｔｉｏｎ」に対する応答信号である「Ｐｒｏｖｉｄｅ  Ｌｏｃａｔｉｏｎ  Ａｎｓｗｅｒ」によって、ＵＥの位置情報及びタイムスタンプを通知する。
【００５０】
なお、かかるＵＥの位置情報及びタイムスタンプは、「Ｃｅｌｌ  Ｔｒａｆｆｉｃ  Ｔｒａｃｅ」に対する応答信号によって、ｅＮＢに対して通知されてもよい。
【００５１】
また、かかるＵＥの位置情報及びタイムスタンプは、ステップＳ３００８の場合と同様に、１つづつｅＮＢに対して通知されてもよいし、所定数だけまとめてｅＮＢに対して通知されてもよい。
【００５２】
ステップＳ３０１０において、ＵＥは、ｅＮＢに対して、ＲＲＣメッセージによって、ＭＤＴの測定結果及び保持しているＵＥの位置情報を含む「ＭＤＴ  Ｒｅｐｏｒｔ」を送信する。
【００５３】
ｅＮＢは、ステップＳ３０１１において、上述のタイムスタンプに基づいて、「Ｐｒｏｖｉｄｅ  Ｌｏｃａｔｉｏｎ  Ａｎｓｗｅｒ」に含まれるＵＥの位置情報と「Ｔｒａｃｅ  Ｒｅｃｏｒｄ」に含まれるＭＤＴの測定結果とを関連付け、ステップＳ３０１２において、ＴＣＥに対して、関連付けられたＵＥの位置情報及びＭＤＴの測定結果を送信する。
【００５４】
なお、ｅＮＢは、上述の関連付けを行うことなく、ＴＣＥに対して、ＵＥの位置情報及びＭＤＴの測定結果を送信し、ＴＣＥが、かかる関連付けを行うように構成されていてもよい。かかる場合、ＵＥ或いはｅＮＢが、「ＭＤＴ  Ｒｅｐｏｒｔ」に、タイムスタンプを設定してもよい。
【００５５】
（変更例３）
以下、図５を参照して、本発明の変更例３に係る移動通信システムについて、上述の第１の実施形態に係る移動通信システムとの相違点に着目して説明する。
【００５６】
図５に示すように、ステップＳ４００１乃至Ｓ４００６の動作は、図４に示すステップＳ３００１乃至及びＳ３００６の動作と同一である。
【００５７】
ステップＳ４００７において、Ｅ-ＳＭＬＣは、かかる「Ｌｏｃａｔｉｏｎ  Ｒｅｑｕｅｓｔ」の受信に応じて、「ＵＥ-ｂａｓｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」を開始する。
【００５８】
ここで、Ｅ-ＳＭＬＣは、ステップＳ４００６において、「Ｌｏｃａｔｉｏｎ  Ｒｅｑｕｅｓｔ」を受信した際、「Ｎｅｔｗｏｒｋ-ｂａｓｅｄ  ｐｏｓｉｔｉｏｎｉｎｇ  ｐｒｏｃｅｄｕｒｅ（ＬＰＰａ：ＬＴＥ  Ｐｏｓｉｔｉｏｎｉｎｇ  Ｐｒｏｔｏｃｏｌ  Ａｎｎｅｘ）」或いは「ＵＥ-ａｓｓｉｓｔｅｄ  ｐｏｓｉｔｉｏｎｉｎｇ  ｐｒｏｃｅｄｕｒｅ（ＬＰＰ：ＬＴＥ  Ｐｏｓｉｔｉｏｎｉｎｇ  Ｐｒｏｔｏｃｏｌ）」の少なくとも１つを併用してもよい。
【００５９】
かかる場合、ステップＳ４００８において、Ｅ-ＳＭＬＣは、ＭＭＥに対して、かかる演算結果を含む「Ｌｏｃａｔｉｏｎ  Ｒｅｓｐｏｎｓｅ」を送信し、ステップＳ４００９において、ＭＭＥは、ｅＮＢに対して、かかる演算結果を含む「Ｐｒｏｖｉｄｅ  Ｌｏｃａｔｉｏｎ  Ａｎｓｗｅｒ」を送信する。
【００６０】
ＵＥは、かかる測位結果に基づいて、ＵＥの位置情報を算出し、算出したＵＥの位置情報とＭＤＴの測定結果とを関連付け、ステップＳ４０１０において、ｅＮＢに対して、ＲＲＣメッセージによって、算出したＵＥの位置情報及びＭＤＴの測定結果を含む「ＭＤＴ  Ｒｅｐｏｒｔ」を送信する。
【００６１】
ｅＮＢは、ステップＳ４０１１において、ＴＣＥに対して、ＵＥの位置情報及びＭＤＴの測定結果を含む「Ｔｒａｃｅ  Ｒｅｃｏｒｄ」を送信する。
【００６２】
以上に述べた本実施形態の特徴は、以下のように表現されていてもよい。
【００６３】
本実施形態の第１の特徴は、移動通信方法であって、ＭＭＥが、ＵＥが行うべき測定処理の方法を指定する測定情報を受信した場合に、ＵＥの測位を行う測位演算処理を開始する工程Ａと、ＵＥの測位が行われた時刻に基づいて、ＵＥの位置情報と測定結果とを関連付ける工程Ｂとを有することを要旨とする。
【００６４】
本実施形態の第１の特徴において、工程Ａにおいて、ＵＥの測位を行う測位演算処理として、ＵＥの測位を繰り返し行う測位演算処理であるＭＴ-ＬＲを開始してもよい。
【００６５】
本実施形態の第１の特徴において、工程Ａにおいて、ＭＭＥは、上述の測定情報として、かかる測定処理の繰り返し回数及び繰り返し間隔を取得し、工程Ｂにおいて、かかる測定処理の繰り返し回数及び繰り返し間隔に基づいて、ＭＴ-ＬＲを開始してもよい。
【００６６】
本実施形態の第１の特徴において、工程Ａにおいて、ＭＭＥは、ｅＮＢ或いはＥＭから、「ＭＤＴ  Ｃｏｎｆｉｇｕｒａｔｉｏｎ」を受信してもよい。
【００６７】
本実施形態の第１の特徴において、Ｅ-ＳＭＬＣが、ＵＥの位置情報を算出する工程と、Ｅ-ＳＭＬＣが、ＭＭＥに対して、算出したＵＥの位置情報及びＵＥの測位が行われた時刻を示すタイムスタンプを通知する工程と、ＭＭＥが、ＴＣＥに対して、ＵＥの位置情報及びタイムスタンプを通知する工程と、ｅＮＢが、ＴＣＥに対して、上述の測定結果を通知する工程とを有し、工程Ｂにおいて、ＴＣＥは、ＵＥの位置情報と測定結果とを関連付けてもよい。
【００６８】
本実施形態の第１の特徴において、ＵＥが、ＵＥの位置情報を算出する工程を有し、工程Ｂにおいて、ＵＥが、ＵＥの位置情報と測定結果とを関連付けてもよい。
【００６９】
本実施形態の第１の特徴において、Ｅ-ＳＭＬＣが、ＵＥの位置情報を算出する工程と、Ｅ-ＳＭＬＣが、ＭＭＥに対して、算出したＵＥの位置情報及びタイムスタンプを通知する工程と、ＭＭＥが、ｅＮＢに対して、ＵＥの位置情報及びタイムスタンプを通知する工程と、ＵＥが、ｅＮＢに対して、上述の測定結果を通知する工程とを有し、工程Ｂにおいて、ｅＮＢは、ＵＥの位置情報と測定結果とを関連付けてもよい。
【００７０】
本実施形態の第２の特徴は、移動管理ノードであって、「ＭＤＴ  Ｃｏｎｆｉｇｕｒａｔｉｏｎ」を受信した場合に、Ｅ-ＳＭＬＣに対して、ＵＥの測位を行う測位演算処理（例えば、ＭＴ-ＬＲ）を開始するように要求するように構成されており、Ｅ-ＳＭＬＣから、ＵＥの位置情報及び該タイムスタンプを取得するように構成されており、ＴＣＥ或いはｅＮＢに対して、ＵＥの位置情報及びタイムスタンプを通知するように構成されていることを要旨とする。
【００７１】
なお、上述のＵＥやｅＮＢやＭＭＥやＥＭやＥ-ＳＭＬＣやＴＣＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥやＥＭやＥ-ＳＭＬＣやＴＣＥ内に設けられていてもよい。また、かかる記憶媒体及びプロセッサは、ディスクリートコンポーネントとしてＵＥやｅＮＢやＭＭＥやＥＭやＥ-ＳＭＬＣやＴＣＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＵＥ…移動局
ｅＮＢ…無線基地局
ＭＭＥ…移動管理ノード
ＥＭ…運用保守装置
Ｅ-ＳＭＬＣ…測位演算装置
ＴＣＥ…トレース収集装置
【図１】
0005451580.tif 000002
【図２】
0005451580.tif 000003
【図３】
0005451580.tif 000004
【図４】
0005451580.tif 000005
【図５】
0005451580.tif 000006